(57)【特許請求の範囲】
【請求項１】
時刻表示信号が付加された映像信号を送信する映像送信方法において、
前記映像信号が受信される複数の地点で表示される時刻表示が該地点における実際の時刻と不一致とならないように所定の時間長で時刻表示の切り替わりが行われる時刻表示信号を生成する時刻表示信号生成段階と、
前記時刻表示信号生成段階にて生成された前記時刻表示信号を映像信号に重畳する重畳段階と、
前記重畳段階で重畳された映像信号を送信する送信段階とを有することを特徴とする映像送信方法。
【請求項２】
前記時刻表示信号生成段階における前記所定の時間長は変更可能であることを特徴とする請求項１記載の映像送信方法。
【請求項３】
時刻表示信号が付加された映像信号を送信する映像送信装置において、
前記映像信号が受信される複数の地点で表示される時刻表示が該地点における実際の時刻と不一致とならないように所定の時間長で時刻表示の切り替わりが行われる時刻表示信号を生成する時刻表示信号生成部と、
前記時刻表示信号生成部にて生成された前記時刻表示信号を映像信号に重畳する重畳部と、
前記重畳部で重畳された映像信号を送信する送信部とを有することを特徴とする映像送信装置。
【請求項４】
前記時刻表示信号生成部における前記所定の時間長は変更可能であることを特徴とする請求項３記載の送信装置。
【発明の詳細な説明】
【０００１】
【発明の属する技術分野】
本発明は、時刻表示信号が付加された映像表示サービスにおいて、サービス地域によって時間的な遅延が発生する場合に、視聴者に時刻表示の遅延を意識させないような表示を行う映像信号の映像送信方法及び送信装置に関する。
【０００２】
【従来の技術】
テレビジョン放送番組等の映像信号の製作時等においては、映像信号に対し各種の加工処理が施されるが、その処理の一つとして、スーパーインポーズが知られている。スーパーインポーズとは、タイトル、時刻、又は字幕等の文字や図形をベースとなる画像に重畳してＣＲＴ(Cathode Ray Tube)等のディスプレイに表示するものである。
【０００３】
また、放送局間でネットワークが構築されている放送局では、映像信号を効率的に活用するため、上位放送局（以下、上位局という）が生成した映像信号を下位放送局（以下、下位局という）で使用する場合が一般的である。
【０００４】
ここで、放送局ネットワークの一例を図を用いて説明する。
【０００５】
図１は、放送局ネットワークの一例の構成図である。
【０００６】
図１の放送局ネットワークでは、上位局のＡ局１０の配下に下位局のＢ局１１、Ｃ局１２が配置されている。また、Ａ局１０に対し、Ｂ局１１は遠方に配置された局であり、Ｃ局１２は、Ｂ局よりも更に遠方に配置された局である。
【０００７】
Ａ局１０で生成された映像信号１４は、Ａ局１０のサービス地域用に映像信号を送信すると共に、下位局（Ｂ局１１、Ｃ局１２）に対しても、ネットワークを介して映像信号１４を送出する。下位局は各局のサービス地域に映像信号１４を送信する。送信された映像信号１４は、各サービス地域の視聴者１３にテレビ等の表示装置を介して表示される。
【０００８】
以下、説明の容易の為に、図１の放送局ネットワークの構成例に基づいて説明する。また、図１においては、Ａ局１０から遠方にある下位局ほど回線の遅延が発生しているものとする。
【０００９】
【発明が解決しようとする課題】
しかしながら、図１に示す放送局ネットワークにおいて、上位局から下位局に映像信号を送信する場合、Ａ局１０と下位局（Ｂ局１１、Ｃ局１２）との間で回線遅延が発生する。映像信号１４には、時刻情報が含まれているため、上位局から遠方にある放送局ほど、映像信号１４が届く時間が遅くなってしまい、視聴者が表示装置を介して見る映像信号内の時刻と実際の時刻には誤差が生じてしまう。従来のアナログ放送においては、視聴者が気になるほどの誤差ではないため、そのまま放送されているが、地上波デジタル放送等で使用されるデジタル信号を現状の回線を用いて伝送する場合、回線遅延の他に、映像信号に対し変復調等のフォーマット変換が必要になるため、更に遅延時間が増加してしまう。このため、時刻表示と実際の時間に大きな差が生じてしまう。
【００１０】
ここで、前述した内容を、図を用いて説明する。
【００１１】
図２は、従来の放送局ネットワークを用いたアナログ信号の伝送方法の一例の図である。図２のネットワーク例は、Ａ局１０と、Ｂ局１１と、Ｃ局１２とを有するように構成されている。Ａ局１０は、時刻表示信号生成装置２２と、重畳部２３と、送信部２４とを有するように構成されている。Ｂ局１１及びＣ局１２は、受信部２５、送信部２６を有するように構成されている。
【００１２】
Ａ局１０は、規準時計２１の信号を受信すると、時刻表示信号生成装置２２を用いてスーパーインポーズするためのスーパー用時刻表示信号を生成し、重畳部２３に出力する。重畳部２３では、Ａ局１０で作製された映像信号と前記スーパー用時刻表示信号を重畳して、時刻表示信号がスーパーインポーズされた映像信号１４を生成する。生成された映像信号１４は、送信部２４を介して、Ａ局１０のサービス地域には、Ａ局１０自らが視聴者１３−１に映像信号１４−１を送信する。同様にＢ局１１、Ｃ局１２へも映像信号１４を送信する。
【００１３】
Ｂ局１１は、Ａ局１０が生成した映像信号１４を受信部２５で受信する。このとき、回線遅延により実際の時刻よりａ秒の遅延が発生するため、送信部２６から各家庭１３−２に出力される映像信号１４−２は、実際の時刻と比べａ秒遅延していることになる。つまり、実際の時間に比べてサービスされる時計表示が遅延していることになる。
【００１４】
Ｃ局１２においても、Ｂ局１１と比べ、更にｂ秒の遅延が発生しているため、Ｃ局１２がサービス地域の視聴者１３−３に送信する映像信号１４−３は、実際の時刻より（ａ＋ｂ）秒遅延していることになる。
【００１５】
ここで、図２における時刻表示信号生成装置２２について図を用いて説明する。
【００１６】
図３は、従来の時刻表示信号生成装置の一例の図である。
【００１７】
図３の時刻表示信号生成装置２２は、テキスト変換部３１と、時刻表示信号生成部３２とを有するよう構成されている。時刻表示信号生成装置２２は、規準時計２１より時刻信号を受信すると、テキスト変換部３１にて、時刻信号をテキストデータとして生成する。その後、時刻表示信号生成部３２にて、テキストデータをスーパーインポーズ用の時刻表示信号に生成して出力する。
【００１８】
次に、前述した地上波デジタル放送におけるネットワーク構成例を図を用いて説明する。図４は、従来の放送局ネットワーク構成を用いた地上波デジタル放送の伝送方法の一例の図である。
【００１９】
図４は、Ａ局１０と、Ｂ局１１と、Ｃ局１２とを有するよう構成されている。Ａ局１０は、時刻表示信号生成装置２２と重畳部２３と、エンコーダ４１と、送信部２４とを有するように構成されている。Ｂ局１１及びＣ局１２は受信部２５と、デコーダ４２と、送信部２６とを有するように構成されている。
【００２０】
Ａ局１０は、規準時計２１の信号を受信すると、時刻表示信号生成装置２２を用いてスーパー用時刻表示信号を生成し、重畳部２３に出力する。重畳部２３では、Ａ局１０で作製された映像信号とスーパー用時刻表示信号を重畳して時刻表示信号がスーパーインポーズされた映像信号１４を生成する。生成された映像信号１４は、送信部２４を介して、Ａ局１０のサービス地域に、Ａ局１０自らが視聴者１３−１に送信する。
【００２１】
Ｂ局１１及びＣ局１２に対する伝送については、既存の回線をそのまま使用するため、デジタル信号をアナログ信号に変調しなければならない。そのため、エンコーダ４１にて、エンコードを行い、その後、送信部２４を用いて伝送処理を行う。
【００２２】
Ｂ局１１では、映像信号１４を受信部２５で受信すると、まずデコーダ４２によりアナログ信号からデジタル信号に復調を行い、その後、Ｂ局１１がサービス地域の視聴者１３−２へ送信する。視聴者１３−２では、実際の時刻よりα秒遅れの映像が放送される。地上波デジタル放送における遅延原因は、回線遅延の他にデジタル信号の変復調によるフォーマット変換が存在するため、図２において、説明した遅延時間より増大になる。また、Ｃ局１２においても、Ｂ局１１と同様にフォーマット変換による遅延時間が発生するため、遅延時間が増大する。
【００２３】
ここで、例として、図４に示す放送局ネットワークの問題点を考慮した、考えられ得る放送局ネットワークの構成例を図を用いて説明する。
【００２４】
図５は、放送局ネットワークの第一の構成例の図である。
【００２５】
図５は、Ａ局１０と、Ｂ局１１と、Ｃ局１２とを有するように構成されている。
【００２６】
Ａ局１０は、時刻表示信号生成装置２２と、重畳部２３と、エンコーダ４１と、送信部２４とを有するように構成されている。Ｂ局１１及びＣ局１２は、時刻表示信号生成装置２２と、受信部２５と、デコーダ４２と、重畳部２３と、送信部２６とを有するように構成されている。
【００２７】
Ａ局１０においては、図４にて説明した装置及び送信方法とも同一であるため、説明を省略する。Ｂ局１１はＡ局１０から伝送される映像信号１４を受信部２５で受信し、デコーダ４２により復調する。その次に、Ｂ局１１でも規準時計２１を受信し、時刻表示信号生成装置２２によりスーパー用時刻表示信号を生成し、重畳部２３へ出力する。重畳部２３では、Ａ局１０から伝送され、復調した映像信号１４と、スーパー用時刻表示信号を重畳し、時刻表示信号がスーパーインポーズされた映像信号を生成する。生成した映像信号は、送信部２６によりＢ局１１がサービス地域の視聴者１３−２に送信される。Ｃ局１２においてもＢ局１１と同様な処理を行うことにより、Ｃ局１２がサービス地域の視聴者１３−３に映像信号を送信する。
【００２８】
図５のような構成にすることにより、どのサービス地域においても実際の時刻と映像信号の時刻の差がなく提供することができる。しかしながら、以下のような問題点がある。▲１▼各局でスーパーを多重するための設備コストがかかる。▲２▼放送回線がトランスポートストリーム（ＴＳ）形式等の圧縮されたシリアル伝送方式の場合、スーパー多重等の映像加工処理を行うと一旦圧縮を解凍する方法が一般的であり、その方法を用いた場合、画質が劣化する。▲３▼表示時刻は正確な時間に切り替わることができるが、映像の切り替わりは遅延が発生しているため、画像の開始と時計が合わない。
【００２９】
次に、放送局ネットワークの第二の構成例を図６に示す。
【００３０】
図６は、Ａ局１０と、Ｂ局１１と、Ｃ局１２とを有するように構成されている。
【００３１】
Ａ局１０は、時刻表示信号生成装置２２と、重畳部２３−１、２３−２と、エンコーダ４１と、送信部２４とを有するように構成されている。Ｂ局１１及びＣ局１２は、受信部２５と、デコーダ４２と、送信部２６とを有するように構成されている。
【００３２】
図６においては、Ａ局１０にて、規準時計２１から伝送される信号を時刻表示信号生成装置２２でスーパー用時刻表示信号を生成する場合、Ａ局１０からサービス地域の視聴者１３−１に送信される信号は実際の時刻通りに生成し、下位局に対して送信される映像信号は、Ａ局１０から一番遠方にある下位局の遅延時間分を早めた時刻表示信号を映像信号に重畳する。
【００３３】
前述の方法によれば、遠方の映像信号における時刻は、実施の時刻と等しくなる。しかしながら、Ａ局１０とＣ局１２の間に位置する下位局Ｂ局１１は、β秒分早く放送されることになり、実際の時刻と合わない。
【００３４】
次に、放送局ネットワークの第三の構成例を図７に示す。
【００３５】
図７は、Ａ局１０と、Ｂ局１１と、Ｃ局１２とを有するように構成されている。
【００３６】
Ａ局１０は、時刻表示信号生成装置２２と、重畳部２３−１、２３−２及び２３−３と、エンコーダ４１と、送信部２４とを有するように構成されている。Ｂ局１１及びＣ局１２は、受信部２５と、デコーダ４２と、送信部２６とを有するように構成されている。
【００３７】
図７においては、Ａ局１０にて、規準時計２１より伝送される信号から時刻表示信号生成装置２２でスーパー用時刻表示信号を生成する場合、下位局毎に遅延時間を算出して、その分の遅延時間を差し引いたスーパー用時刻表示信号をＡ局１０にて生成し、夫々のスーパー用時刻表示信号をＡ局１０で作製した映像信号に重畳して、時刻表示信号がスーパーインポーズされた映像信号１４、１４−Ｘ、１４−Ｙを生成する。Ａ局１０からサービス地域の視聴者１３−１に送信される映像信号１４−１は、実際の時刻と同時刻の映像信号が送信される。下位局へ伝送する映像信号は、遅延時間を考慮したスーパー用時刻表示信号を重畳した映像信号を送信する。Ｂ局１１及びＣ局１２は夫々に伝送された映像信号（１４−Ｘ、１４−Ｙ）を受信部２５が受信し、デコードした後、送信部２６にて各サービス地域の視聴者に映像信号が提供される。
【００３８】
図７では、どのサービス地域の視聴者にも実際の時刻とあった信号を提供することができる。しかしながら、図７の対応例では、Ａ局１０は下位局毎に時刻の異なるスーパー用時刻表示信号を生成し、時刻表示信号がスーパーインポーズされた映像信号を生成しなければならない。また、この方法では、Ｂ局１１、Ｃ局１２でサービスする時刻表示は実際の時刻と同一になるが、Ａ局１０の設備が下位局分必要となると同時に、回線がＡ局１０から夫々の局に１：１で必要となるため、回線費用が増大してしまう。
【００３９】
本発明は、上記問題点に鑑みなされたものであり、時刻表示信号の付加された映像表示サービスにおいて、サービス地域によって時間的な遅延が発生する場合に、視聴者に時刻表示の遅延を意識させないよう表示する映像信号を送信する映像送信方法及び送信装置を提供することを目的とする。
【００４０】
【課題を解決するための手段】
上記課題を解決するために、本件発明は、以下の特徴を有する課題を解決するための手段を採用している。
【００４１】
請求項１に記載された発明は、時刻表示信号が付加された映像信号を送信する映像送信方法において、前記映像信号が受信される複数の地点で表示される時刻表示が該地点における実際の時刻と不一致とならないように所定の時間長で時刻表示の切り替わりが行われる時刻表示信号を生成する時刻表示信号生成段階と、前記時刻表示信号生成段階にて生成された前記時刻表示信号を映像信号に重畳する重畳段階と、前記重畳段階で重畳された映像信号を送信する送信段階とを有することを特徴とする。
【００４２】
請求項１記載の発明によれば、時刻表示の切り替わり時にスクロールやワイプ、ディゾルブ等の特殊編集を施すことにより、下位局でも、視聴者に時刻表示の遅延を意識させない映像信号を表示することができる。
【００４３】
請求項２に記載された発明は、前記時刻表示信号生成段階における前記所定の時間長は変更可能であることを特徴とする。
【００４４】
請求項２記載の発明によれば、所定の時間を遅延時間の最も大きい下位局の遅延時間に設定することにより、下位局が上位局から送信された映像信号をそのまま自局のサービス地域に送信した場合でも、実際の時刻が切り替わる時には、どのサービス地域においてもスクロール等の特殊表示が行われている映像が表示されるため、視聴者に時刻表示の遅延を意識させないようになり、また、下位局で新たに時刻表示信号を重畳したり、設備を増やす必要がないため、映像信号を効率的に提供することができる。
【００４５】
請求項３に記載された発明は、時刻表示信号が付加された映像信号を送信する映像送信装置において、前記映像信号が受信される複数の地点で表示される時刻表示が該地点における実際の時刻と不一致とならないように所定の時間長で時刻表示の切り替わりが行われる時刻表示信号を生成する時刻表示信号生成部と、前記時刻表示信号生成部にて生成された前記時刻表示信号を映像信号に重畳する重畳部と、前記重畳部で重畳された映像信号を送信する送信部とを有することを特徴とする。
【００４６】
請求項４に記載された発明は、前記時刻表示信号生成部における前記所定の時間長は変更可能であることを特徴とする。
【００４７】
請求項３から４に記載された発明によれば、請求項１又は２記載の映像送信方法に適した送信装置を提供することができる。
【００４８】
【発明の実施の形態】
本発明は、既存の通信回線を利用して、時刻スーパー表示の遅延を視聴者に認識させないように、スーパー用時刻信号生成時にスクロール、ディゾルブ、ワイプ等の映像特殊編集を施し、映像内のスーパーに表示される時刻の切り替わり方を緩和させることで、どの局から提供される映像信号において、視聴者に時刻表示の遅延を意識させないようにする。
【００４９】
また、時刻の切り替わり開始から終了までの時間を、ネットワーク内での最大遅延時間を要する局に対応させて設定することで、実際の時刻の切り替わり時には、映像信号内の時刻表示はスクロール、ディゾルブ等の特殊な表示がされるため、視聴者は時刻表示の遅延を意識しなくなる。上述した内容を満たす映像信号を生成し、送信する映像送信方法及び送信装置を提供することを主眼とする。
【００５０】
次に、本発明を実現するための時刻表示信号生成装置の構成例を図を用いて説明する。
【００５１】
図８は、本発明を実現するための時刻表示信号生成装置の一構成例の図である。
【００５２】
図８において、時刻表示信号生成装置８１は、テキスト変換部３１と、特殊表示パラメータ８２と、処理時間パラメータ８３と、時刻表示信号生成部８４とを有するよう構成されている。時刻表示信号生成装置８１は、規準時計２１の信号を、テキスト変換部３１でテキスト変換を行い、時刻表示信号生成部８４に出力する。時刻表示信号生成部８４は、テキストデータに変換された時刻と、特殊表示パラメータ８２の特殊編集種別と処理時間パラメータ８３の特殊表示変換間隔を用いて、特殊表示を含んだスーパー用時刻表示信号を生成する。特殊表示パラメータ８２の内容は、スクロールやワイプ、ディゾルブ、キャラクタの回転等の特殊表示方法であり、前記特殊表示方法の何れか一つ以上を設定することにより、特殊表示の編集を行う。
【００５３】
また、処理時間パラメータ８３では、特殊表示による時刻表示の切り替わりをどの程度の時間で行うかを指定する。
【００５４】
例えば、特殊表示パラメータ８２に「スクロール」、処理時間パラメータ８３に「５秒」をセットした場合、テキスト化されたデータを入力した時刻表示信号生成部８４は、時刻（分）の切り替わり時にスクロール表示により時間の切り替えを行い、スクロールを開始してから終了するまでに要する時間は５秒となる。
【００５５】
なお、特殊表示パラメータ８２、及び処理時間パラメータ８３の設定方法はこの限りではない。また、本発明の実施例においては、特殊表示は「分」の切り替わり時に行っているが、特殊表示のタイミングはこの限りではなく、時刻表示信号生成部８４に入力されるデータは時刻でなくてもよい。
【００５６】
例えば、入力データが字幕データの場合には、字幕データの切り替わりに「スクロール」等の特殊表示にすることができる。
【００５７】
また、処理時間パラ-メータ８３に設定する時間は、ネットワークの構成の中で信号の伝送遅延時間が一番大きい放送局の遅延時間を考慮してセットすることが望ましい。そうすることにより実際の時刻（分）が切り替わる時には、映像信号内の時刻表示は、どのサービス地域で表示されている映像信号においても、特殊処理により時刻が切り替わっている途中の映像が表示される。したがって、視聴者に映像信号の時刻表示の遅延を意識させないようにすることができる。
【００５８】
次に、本発明を使用した放送局ネットワークの構成例を図を用いて説明する。
【００５９】
図９は、本発明を使用したアナログ放送を送信する放送局ネットワークの一構成例の図である。
【００６０】
図９は、Ａ局１０と、Ｂ局１１と、Ｃ局１２とを有するように構成されている。
【００６１】
Ａ局１０は、時刻表示信号生成装置８１と、重畳部２３と、送信部２４とを有するよう構成されている。また、Ｂ局１１及びＣ局１２は受信部２５と送信部２６とを有するよう構成されている。なお、Ａ局１０内の時刻表示信号生成装置８１は、図８で説明した構成内容である。
【００６２】
図９において、Ａ局１０では、まず、時刻表示信号生成装置８１は、規準時計２１から時刻を入力し、図８を用いて説明した特殊表示編集を施したスーパー用時刻信号を生成する。図９においては、例として、時刻表示信号生成装置８１の特殊表示パラメータ８２には「スクロール」が設定され、処理時間パラメータ８３には「ａ＋ｂ＋１秒」が設定されている。生成されたスーパー用時刻表示信号は、重畳部２３に入力されＡ局１０で作製された映像信号に重畳する処理を行う。重畳部２３にて時刻表示信号をスーパーインポーズした映像信号１４は、特殊表示のスーパーを有する映像信号となる。生成した映像信号１４は、送信装置２４を用いて、Ａ局１０がサービス地域である視聴者１３−１に映像信号１４−１を送信する。また、下位局（Ｂ局１１、Ｃ局１２）に対しても送信する。
【００６３】
Ｂ局１１は、Ａ局１０から送出された映像信号１４をａ秒遅れで、受信部２５で受信し、そのまま送信部２６を介してＢ局１１のサービス地域である視聴者１３−２に映像信号１４−２を送出する。前述の説明によりＢ局１１は、従来の装置の変更をすることなく視聴者１３−２へ送信することができる。本システムを使用することにより送信する映像信号１４−２の時刻表示は、切り替わり時に特殊表示が施されているため、視聴者１３−２に時刻表示の遅延を意識させないようにすることができる。
【００６４】
また、下位局は設備コストをかける必要がなく、また、ネットワーク上の配線も増設する必要がないため、経済的である。
【００６５】
また、Ｃ局１２は、実際の時刻から（ａ＋ｂ）秒遅延した伝送信号を受信するが、Ｃ局１２もサービス地域である視聴者１３−３に、映像信号１４−３をそのまま送信する。
【００６６】
図９の例では、時計表示の切り替わりを（ａ＋ｂ＋１）秒かけてスクロールして11:59→12:00へ変化している図を示している。実際の時刻が12時00分になったとき、最も遅延するＣ局１２でも、11:59→12:00の切り替わりがスクロール表示されることとなるため、遅延により各地で瞬間的に誤った時刻表示をすることが無い。
【００６７】
この方式は、時刻（分）の切り替わりを（ａ＋ｂ＋１）秒で行うことが可能なスクロールや、ディゾルブ、ワイプ等の表示方法で使用することができる。
【００６８】
なお、時刻の切り替わりに要する時間を（ａ＋ｂ）秒丁度とすると、Ａ局１０とＣ局１２では異なった時刻表示をすることがあるため、実際には、更に余裕をみて時間を設定する。（図９の説明においては、＋１秒としたが、調整範囲はこの限りではない。）
次に、本発明の第二の実施例として、地上波デジタル放送を送信する放送局ネットワークの一構成例を図と用いて説明する。
【００６９】
図１０は、本発明を使用した地上波デジタル放送を送信する放送局ネットワークの一構成例の図である。
【００７０】
図１０は、Ａ局１０と、Ｂ局１１と、Ｃ局１２とを有するように構成されている。
【００７１】
Ａ局１０は、時刻表示信号生成装置８１と、重畳部２３と、エンコーダ４１と、送信部２４とを有するよう構成されている。また、Ｂ局１１及びＣ局１２は受信部２５と、デコーダ４２と、送信部２６とを有するよう構成されている。なお、Ａ局１０内の時刻表示信号生成装置８１は、図８と同様の構成内容である。
【００７２】
図１０において、まず、時刻表示信号生成装置８１は、規準時計２１から時刻信号を入力し、図８を用いて説明した特殊表示編集を施したスーパー用時刻表示信号を生成する。図１０においては、例として、時刻表示信号生成装置８１の特殊表示パラメータ８２には「スクロール」が設定され、処理時間パラメータ８３には「（α＋β＋１）秒」が設定されている。生成されたスーパー信号は重畳部２３に入力され、Ａ局１０で作製された映像信号に重畳する処理を行う。重畳部２３にて時刻表示信号をスーパーインポーズした映像信号１４は、送信部２４を用いて、Ａ局１０がサービス地域となる視聴者１３−１に、映像信号１４−１を送信する。また、下位局（Ｂ局１１、Ｃ局１２）に対しては、映像信号１４をエンコーダ４１によりアナログ信号に変調した後、送信する。
【００７３】
Ｂ局１１は、Ａ局１０から送出された映像信号１４をα秒遅れで、受信部２５で受信し、デコーダ４２で復調した後、送信部２６を通してＢ局１１がサービス地域である視聴者１３−２に映像信号１４−２を送信する。前述の説明によりＢ局１１は、従来の装置にデコーダ４２を追加するだけの変更で地上波デジタル放送においても各視聴者へ映像信号を提供することができる。本システムを使用することにより送出する映像信号１４の時刻表示は、切り替わり時に特殊表示が施されているため、視聴者に時刻表示の遅延を意識させないようにすることができる。
【００７４】
また、本発明により下位局の設備コストを低減でき、また、ネットワーク上の配線も増設する必要がないため、経済的である。
【００７５】
また、Ｃ局１２では、実際の時刻から（α＋β）秒遅延した伝送信号を受信するが、Ｃ局１２もＢ局１１と同様に復調した信号をＣ局１２がサービス地域である視聴者１３−３に映像信号１４−３を送信する。
【００７６】
図１０の例でも、図９と同様に時刻表示の切り替わりを（α＋β＋１）秒かけてスクロールして11:59→12:00へ変化している図を示している。実際の時刻が12時00分になったとき、最も遅延するＣ局１２でも、11:59→12:00の切り替わりがスクロール表示されることとなるため、遅延により各地で瞬間的に誤った時刻表示をすることが無い。
【００７７】
この方式は、切り替わりを（α＋β＋１）秒で行うことが可能なスクロールや、ディゾルブ、ワイプ等の表示方法で使用することができる。
なお、切り替わりに要する時間を（α＋β）秒丁度とすると、Ａ局１０とＣ局１２では異なった時刻表示をすることがあるため、実際には、更に余裕をみて時間の設定を行う。（図１０の説明においては、＋１秒としたが、調整範囲はこの限りではない。）
また、図１０では、図９と比べて、映像信号の変復調の時間がかかる。しかし、時刻信号生成装置８１の処理時間パラメータ８３を増加時間分追加するだけで、容易に対応することができる。
【００７８】
【発明の効果】
上述の如く本発明によれば、時刻の映像表示サービスにおいて、時刻表示信号が付加された映像信号が伝送回線等の影響により、サービス地域によって時間的な遅延が発生する場合、時刻表示の切り替わりに対して、スクロール処理等の特殊表示を行った映像信号を送信することにより、視聴者に時刻表示の遅延を意識させないようにすることができる。
【図面の簡単な説明】
【図１】放送局ネットワークの一例の構成図である。
【図２】従来の放送局ネットワークを用いたアナログ信号の伝送方法の一例の図である。
【図３】従来の時刻表示信号生成装置の一例の図である。
【図４】従来の放送局ネットワーク構成を用いた地上波デジタル放送時の伝送方法の一例の図である。
【図５】放送局ネットワークの第一の構成例の図である。
【図６】放送局ネットワークの第二の構成例の図である。
【図７】放送局ネットワークの第三の構成例の図である。
【図８】本発明を実現するための時刻表示信号生成装置の一構成例の図である。
【図９】本発明を使用したアナログ放送を送信する放送局ネットワークの一構成例の図である。
【図１０】本発明を使用した地上波デジタル放送を送信する放送局ネットワークの一構成例の図である。
【符号の説明】
１０  Ａ局（上位放送局）
１１  Ｂ局（下位放送局）
１２  Ｃ局（下位放送局）
１３  視聴者
１４  映像信号
２１  規準時計
２２，８１  時刻表示信号生成装置
２３  重畳部
２４，２６  送信部
２５  受信部
３１  テキスト変換部
３２，８４  時刻表示信号生成部
４１  エンコーダ
４２  デコーダ
８２  特殊表示パラメータ
８３  処理時間パラメータ
【図１】
0003653027.tif 000002
【図２】
0003653027.tif 000003
【図３】
0003653027.tif 000004
【図４】
0003653027.tif 000005
【図５】
0003653027.tif 000006
【図６】
0003653027.tif 000007
【図７】
0003653027.tif 000008
【図８】
0003653027.tif 000009
【図９】
0003653027.tif 000010
【図１０】
0003653027.tif 000011